(57)【特許請求の範囲】
【請求項１】
底部と前記底部から立ち上がる壁部を有し、前記壁部は、展開状態において前記底部から四方に延びる複数の壁部用紙片を各々折り曲げて組み付けられ、相互に向かい合う第１の１対の壁部と前記第１の１対の壁部と交差する方向に配置されて相互に向かい合う第２の１対の壁部とから成る紙製トレイにおいて、前記壁部は、前記展開状態から前記底部に対し谷折りにより立ち上げられた状態の前記壁部用紙片を外側へ向けて２回山折りして折り曲げて形成された縁面部を頂上に有し、かつ、前記壁部は、前記底部から外側に向けて傾斜して立ち上がり、前記壁部用紙片は、折り曲げられて前記第１の１対の壁部となるべき１対の第１の壁部用紙片と、折り曲げられて前記第２の１対の壁部となるべき１対の第２の壁部用紙片とから成り、前記壁部を組み付けた状態において前記第１の壁部用紙片の一部と前記第２の壁部用紙片の一部とを前記第１及び第２の壁部用紙片が前記展開状態に復元しようとする復元力により相互に係合させると共に、一方の壁部用紙片の復元を、折り返しにより復元が制限された他方の壁部用紙片により受け止めて、前記第１及び第２の壁部用紙片が前記展開状態に復元しようとして展開することを規制して、前記壁部の組み付け状態を維持する展開規制手段を有し、前記第１及び第２の壁部用紙片は、前記底部から連続して立ち上がる内壁部となるべき内壁部部分と、前記内壁部部分から連続し前記壁部の頂上に位置する前記縁面部となるべき縁面部部分と、前記縁面部部分から連続し前記縁面部を挟んで前記内壁部の外側に配置される外壁部となる外壁部部分とを有し、前記展開規制手段は、前記展開状態において前記第１の壁部用紙片の前記外壁部部分から更に外側に延びるようにして形成され前記縁面部へ向けて折り返されて前記第１の１対の壁部の前記内壁部と前記外壁部との間に配置される係合用片部と、前記展開状態において前記第２の壁部用紙片の前記外壁部部分から連続して延び、前記第１の１対の壁部の前記内壁部と前記外壁部との間に挿入されて前記係合用片部に前記縁面部側から係合する係合爪部とを備えていることを特徴とする紙製トレイ。
【請求項２】
請求項１に記載された紙製トレイであって、前記第１の壁部用紙片は、前記外壁部部分の両端から延びて、前記壁部の組み付け時において、折り曲げられて前記第２の１対の壁部の前記内壁部と前記外壁部との間に挿入される補強用片部を有していることを特徴とする紙製トレイ。
【請求項３】
請求項１又は請求項２のいずれかに記載された紙製トレイであって、前記第２の壁部用紙片は、前記外壁部部分の両端から延びて、前記壁部の組み付け時において、折り返されて前記第２の１対の壁部の前記内壁部と前記外壁部との間に挿入される装飾用片部を有していることを特徴とする紙製トレイ。
【請求項４】
請求項１乃至請求項３のいずれかに記載された紙製トレイであって、展開状態において前記壁部用紙片を相互に連結する連結部を有し、前記連結部は、前記壁部用紙片に接する両端が前記底部の隅部に向けて傾斜して形成され、前記壁部用紙片に接する両端の交差角度が９０°未満の範囲内に設定され、前記交差角度の設定により前記壁部の傾斜角度が調整されていることを特徴とする紙製トレイ。
【請求項５】
請求項４に記載された紙製トレイであって、前記連結部は、前記底部の隅部に接する角を頂点とする略三角形状に形成されていることを特徴とする紙製トレイ。
【請求項６】
請求項１乃至請求項５のいずれかに記載された紙製トレイであって、段ボールから形成されていることを特徴とする紙製トレイ。
【請求項７】
請求項１乃至請求項６のいずれかに記載された紙製トレイであって、少なくとも前記展開状態において前記底部の内底面と同一面上の部分が装飾されていることを特徴とする紙製トレイ。
【発明の詳細な説明】
【技術分野】
【０００１】
本発明は、例えば、お寿司等の食品を収納する受け皿状の紙製トレイの改良に関し、特に、充分な組み付け強度を確保しつつ見栄えを維持し、積み重ねても嵩張らない紙製トレイに関するものである。
【背景技術】
【０００２】
従来、お寿司や弁当等は、一般的に、プラスチック製の桶や重箱等に収納されて、出前されることが一般的であったが、近年においては、空になった桶等を回収する手間と時間を回避するため、届け先で簡易に廃棄処分をすることができるように、紙製の重箱等の紙製の器に収納されて届けられることが多くなってきた。
【０００３】
この場合、例えば、お寿司を提供する寿司屋等においては、特に、繁忙期においては、注文に対し迅速に対応することができるように、予め、蓋をしていない状態の受け箱を組み立てた上で、これらの受け箱を積み重ねておくことが行われる。
【０００４】
しかし、このような受け箱の壁部（側面部）は、通常、垂直面に設定されていたため、積み重ねの段数が増加するに連れ、高さが嵩張り、不必要にスペースを占拠する問題があった。また、上の段の受け箱は、下の受け箱の上に単に載置されていただけであったため、軽い接触でも段がずれたり、崩れる問題もあった。また、この積み重ねの不安定さを考慮すると、積み重ねる受け箱の段数が制限され、予め充分な個数の受け箱を準備しておくことができない問題があった。
【０００５】
この問題を解決するためには、受け箱の壁面を外側に向けて傾斜させて受け皿状の紙製トレイとすることが考えられる（例えば、特許文献１乃至５等参照）。即ち、壁面を傾斜させることで、下の段のトレイの内部に上の段のトレイを収納し、下の段のトレイの壁面により上の段のトレイの底面を支持して積み重ねることにより、積み重ねた段の高さを低く抑えることができる。
【０００６】
しかし、従来の壁面を傾斜させた紙製トレイは、壁面に横方向の厚み、即ち、壁面の頂上部に縁面部が存在しないため、壁面の強度が低く、積み重ねの高さが高くなるに連れ下方の紙製トレイの壁面が次第に外に倒れる等して変形したり、その結果、折角組み付けた紙製トレイが破損したり、積み重ねが崩れるおそれがあった。特に、樹脂製等のトレイであればともかく、紙製のトレイの場合には荷重をかけると壁面が変形しやすい点が難点であった。
【０００７】
この場合、壁面の頂上に縁面部を設けて壁面を二重構造とすることにより強度を向上することに対応するにしても、壁面が傾斜していると、構造が複雑になるとともに、組み付けが困難になる問題が生じる。特に、壁面の頂上に縁面部を形成する場合には、壁面となる壁面用紙片を展開状態から折り曲げて形成するが、壁面を傾斜させると、素材である段ボール等の紙材が元の平面状の展開状態に復元しようとする弾性力により、隣り合う壁面が一部で相互に離反する方向に(拡散する方向に）変形しようとして、傾斜状態に綻びが生じ、隣り合う壁面間に隙間が生じ易くなると共に、素材である紙材の端面が露出して見栄えや外観に影響を与える等の傾向があった。
【０００８】
これらの問題を回避するためには、組み付けにおいて、紙材の一部に切り込みを入れて当該切り込みに他の壁部の一部を挿入等してクロスさせる等複雑な構成とすることが必要となる。しかし、その分、組み付けに際し、当該クロス部分が外部から見えないように組み付けるのには面倒な作業が伴うのみならず、たとえ、壁部の一部をクロスさせても、特に、例えば、大型の紙製トレイとするために強度を高める観点から、素材である紙材の厚みを厚くした場合には、その分、弾性変形により復元しようとする復元力も大きく働くため、組み付け状態を維持することが困難となる問題が生じる。更には、段ボール等の紙材の表面に装飾のための樹脂フィルムをラミネートしたり印刷を施すと、組み付けに際し相互接触する面の摩擦抵抗が小さくなる結果、滑り易くなり、折り曲げによる組み付け状態を維持することが困難となる傾向がより一層顕著に現れる問題をも併発する。
【先行技術文献】
【特許文献】
【０００９】
【特許文献１】特開平５−２５４５３４号公報
【特許文献２】特開平５−２５４５３５号公報
【特許文献３】実開平６−７１４１６号公報
【特許文献４】特開２００１−８０６２９号公報
【特許文献５】特開平９−１３２２２５号公報
【発明の概要】
【発明が解決しようとする課題】
【００１０】
本発明が解決しようとする課題は、上記の問題点に鑑み、組み付けが容易でありながら充分な組み付け強度及び外観を維持しつつ、積み重ねても嵩張ることがない紙製トレイを提供することにある。
【課題を解決するための手段】
【００１１】
本発明は、上記の課題を解決するための第１の手段として、底部とこの底部から立ち上がる壁部を有し、この壁部は、展開状態において底部から四方に延びる複数の壁部用紙片を各々折り曲げて組み付けられ、相互に向かい合う第１の１対の壁部と第１の１対の壁部と交差する方向に配置されて相互に向かい合う第２の１対の壁部とから成る紙製トレイにおいて、壁部は、展開状態から底部に対し谷折りにより立ち上げられた状態の壁部用紙片を外側へ向けて２回山折りして折り曲げて形成された縁面部を頂上に有し、かつ、壁部は、底部から外側に向けて傾斜して立ち上がり、壁部用紙片は、折り曲げられて第１の１対の壁部となるべき１対の第１の壁部用紙片と、折り曲げられて第２の１対の壁部となるべき１対の第２の壁部用紙片とから成り、壁部を組み付けた状態において第１の壁部用紙片の一部と第２の壁部用紙片の一部とを第１及び第２の壁部用紙片が展開状態に復元しようとする復元力により相互に係合させると共に、一方の壁部用紙片の復元を、折り返しにより復元が制限された他方の壁部用紙片により受け止めて、第１及び第２の壁部用紙片が展開状態に復元しようとして展開することを規制して、壁部の組み付け状態を維持する展開規制手段を有し、第１及び第２の壁部用紙片は、底部から連続して立ち上がる内壁部となるべき内壁部部分と、この内壁部部分から連続し壁部の頂上に位置する縁面部となるべき縁面部部分と、この縁面部部分から連続し縁面部を挟んで内壁部の外側に配置される外壁部となる外壁部部分とを有し、展開規制手段は、展開状態において第１の壁部用紙片の外壁部部分から更に外側に延びるようにして形成され縁面部へ向けて折り返されて内壁部と外壁部との間に配置される係合用片部と、展開状態において第２の壁部用紙片の外壁部部分から連続して延び、第１の１対の壁部の内壁部と外壁部との間に挿入されて係合用片部に縁面部側から係合する係合爪部とを備えていることを特徴とする紙製トレイを提供するものである。
【００１２】
本発明は、上記の課題を解決するための第２の手段として、上記第１の解決手段において、第１の壁部用紙片は、外壁部部分の両端から延びて、壁部の組み付け時において、折り曲げられて第２の１対の壁部の内壁部と外壁部との間に挿入される補強用片部を有していることを特徴とする紙製トレイを提供するものである。
【００１３】
本発明は、上記の課題を解決するための第３の手段として、上記第１又は第２のいずれかの解決手段において、第２の壁部用紙片は、外壁部部分の両端から延びて、壁部の組み付け時において、折り返されて第２の１対の壁部の内壁部と外壁部との間に挿入される装飾用片部を有していることを特徴とする紙製トレイを提供するものである。
【００１４】
本発明は、上記の課題を解決するための第４の手段として、上記第１乃至第３のいずれかの解決手段において、展開状態において壁部用紙片を相互に連結する連結部を有し、この連結部は、壁部用紙片に接する両端が底部の隅部に向けて傾斜して形成され、壁部用紙片に接する両端の交差角度が９０°未満の範囲内に設定され、交差角度の設定により壁部の傾斜角度が調整されていることを特徴とする紙製トレイを提供するものである。
【００１５】
本発明は、上記の課題を解決するための第５の手段として、上記第４の解決手段において、連結部は、底部の隅部に接する角を頂点とする略三角形状に形成されていることを特徴とする紙製トレを提供するものである。
【００１６】
本発明は、上記の課題を解決するための第６の手段として、上記第１乃至第５のいずれかの解決手段において、段ボールから形成されていることを特徴とする紙製トレイ提供するものである。
【００１７】
本発明は、上記の課題を解決するための第７の手段として、上記第１乃至第６のいずれかの解決手段において、少なくとも展開状態において底部の内底面と同一面上の部分が装飾されていることを特徴とする紙製トレイを提供するものである。
【発明の効果】
【００１８】
本発明によれば、上記のように、壁部を外側に向けて傾斜させつつ、壁部の頂上に縁面部を設けているため、下側の紙製トレイの内側に上側の紙製トレイの一部を収納しつつ積み重ねることができるため、積み重ねの高さを低減しつつ、上側の紙製トレイを位置決めして保持することができるので、積み重ねた段が容易に崩れることがないと同時に、壁部が二重壁構造となり充分な強度を有するため、下側の紙製トレイの壁部が上側の紙製トレイを確実に支えることができ、積み重ね数が増加しても紙製トレイが変形等して潰れることがない実益がある。
【００１９】
また、本発明によれば、上記のように、壁部用紙片は、壁部を組み付けた状態において第１の壁部用紙片の一部と第２の壁部用紙片の一部とを第１及び第２の壁部用紙片が展開状態に復元しようとする復元力により相互に係合させると共に、一方の壁部用紙片の復元を、折り返しにより復元が制限された他方の壁部用紙片により受け止めて、第１及び第２の壁部用紙片が展開状態に復元しようとして展開することを規制して、壁部の組み付け状態を維持する展開規制手段を有し、いわば組み付け状態の解除の原因となる復元力を逆に有効利用しているため、高い復元力が働き、壁部用紙片が展開状態に復元しようとすればする程、むしろ組み付けが強固となるので、特に、素材となる紙材の厚みが厚く、また、当該紙材の表面に装飾が施されている場合であっても、紙製トレイの組み付け状態が容易に解除されることがなく、組み付け強度も向上する実益がある。
【００２０】
この場合、本発明によれば、上記のように、展開規制手段は、第１の壁部用紙片に形成され縁面部へ向けて折り返されて内壁部と外壁部との間に配置される係合用片部と、第２の壁部用紙片に形成され第１の１対の壁部の内壁部と外壁部との間に挿入されて第１の壁部用紙片の係合用片部に縁面部側から係合する係合爪部とを備えているため、第１の壁部用紙片は、組み付けられた状態において第１の１対の壁部の内外壁部間において折り返された第１の壁部用紙片の係合用片部が展開状態に復元しようとして内壁部側へ傾斜し内壁部に係止して内外壁部間に留まり復元力による展開（係合用片部の折り返しの解除）が制限される一方、第２の壁部用紙片は、その係合爪部がこの内外壁部間において縁面部に向けて折り返された第１の壁部用紙片の係合用片部により下方への変位が規制されて、展開が抑制されるので、係合爪部を第１の１対の壁部の内外壁間に単に挿入するだけで、組み付け状態の強度を確保することができる実益上がある。
【００２１】
また、本発明によれば、上記のように、第１の壁部用紙片は、外壁部部分の両端から延びて、壁部の組み付け時において、折り曲げられて第２の１対の壁部の内壁部と外壁部との間に挿入される補強用片部を、また、第２の壁部用紙片は、外壁部部分の両端から延びて、壁部の組み付け時において、折り返されて第２の１対の壁部の内壁部と外壁部との間に挿入される装飾用片部を有しているため、第１と第２の１対の壁部の境界部において、素材となる紙材の端面、特に、この紙材が段ボールである場合には、コルゲート面が現れることがなく、良好な外観を確保することができる実益がある。
【００２２】
本発明によれば、上記のように、壁部用紙片間に、壁部用紙片に接する両端が底部の隅部に向けて傾斜して形成され、壁部用紙片に接する両端の交差角度が９０°未満の範囲内に設定された連結部を設けているため、壁部の結合部分の強度を向上させつつ壁部を適切に傾斜させることができる実益がある。
【００２３】
この場合に、本発明によれば、上記のように、連結部を、底部の隅部に接する角を頂点とする略三角形状に形成しているため、展開状態からの組み立て時において、連結部を内側へ折り畳んでも、連結部が壁面の頂上、即ち、縁面よりも上方に突出することがなく、、組み付け作業の支障となったり、組み立て後の強度に影響を与えることがなく、壁面を適切に傾斜させつつ壁面の頂上に縁面部を有する強度の高い紙製トレイとすることができる実益がある。
【００２４】
本発明によれば、上記のように、紙製トレイを段ボールから形成しているため、ある程度のクッション性を付与することができ、収容物を衝撃から適切に保護することができる一方、展開状態において底部の内底面（上方から見た場合の底部の表面）と同一面上の部分が、例えば、プラスチックフィルムでラミネートする等して装飾されているため、紙製トレイの外観に影響を与えることがなく、紙製トレイの風情や見栄えを維持することができ、顧客の目に触れても違和感を与えることがない上に、届け出先における廃棄にも適した紙製トレイとすることができる実益がある。加えて、壁部を底部側から外側へ向けて折り曲げて形成しつつ、このように底部の内底面を装飾しているため、壁部を内側へ向けて折り曲げて形成する場合と異なり、底部を装飾するために別途底台紙を設置することなく、美観を確保することができる実益もある。
【図面の簡単な説明】
【００２５】
【図１】本発明の紙製トレイの展開平面図である。
【図２】本発明の紙製トレイの斜視図である。
【図３】本発明の紙製トレイを積み重ねた状態の斜視図である。
【図４】本発明の紙製トレイにおける第１の１対の壁部の断面図である。
【図５】本発明の紙製トレイにおける展開規制手段の拡大図である。
【図６】本発明の紙製トレイの底面図である。
【図７】本発明の紙製トレイの他の実施の形態の展開平面図である。
【発明を実施するための形態】
【００２６】
本発明の実施の形態を図面を参照しながら詳細に説明すると、図１乃至図３は、本発明の紙製トレイ１０を示し、この紙製トレイ１０は、底部１２と、この底部１２から立ち上がる壁部１４とを有している。この壁部１４は、図２及び図３に示すように、組み立てたときに、相互に向かい合う第１の１対の壁部１４Ａと、この第１の１対の壁部１４Ａと交差する方向に配置されて相互に向かい合う第２の１対の壁部１４Ｂとから成っている。即ち、壁部１４は、上方から見た場合に四角形状に組み付けられる。なお、図示の実施の形態では図１から解るように正方形の紙製トレイであるのが示されているが、どちらか一方の１対の壁部１４Ａ、１４Ｂの方が他方の壁部よりも長い長方形とすることもできる。
【００２７】
（１．展開片）
この紙製トレイ１０は、図１に示すように、紙製の展開片１０Ａを折り曲げて形成される。この紙製の展開片１０Ａは、図１に示すように、展開状態において底部１２から四方に延びる複数の、図示の実施の形態では４つの壁部用紙片１０ａを有し、壁部１４は、図１乃至図３に示すように、この壁部用紙片１０ａを各々折り曲げて組み付けられる。
【００２８】
また、この紙製の展開片１０Ａは、段ボールを裁断して形成することができる。このように、展開片１０Ａ、ひいては、紙製トレイ１０を段ボールから形成することにより、紙製トレイ１０に、ある程度のクッション性を付与することができ、収容物を衝撃から適切に保護することができると共に、積み重ねた場合の耐重量性（強度）も確保することができる一方、プラスチック製の重箱や桶と異なり運搬等の取扱いが容易な軽量性を付与することができる。この段ボールとしては、強度と折り曲げによる組み立ての際の作業性を考慮して、１ｍｍ〜３ｍｍ程度の厚みを有するものを使用することが望ましい。
【００２９】
また、この紙製の展開片１０Ａとなる段ボールは、少なくとも少なくとも展開状態において底部１２の内底面１２ａ（上方から見た場合の底部１２の表面）と同一面上の部分を装飾することが望ましい。具体的には、展開片１０Ａのうち、組み立てられた紙製トレイ１０を上側から見た場合に底面として現れる部分（紙製トレイ１０の内部側に位置する底部１２の表面）及びそれに同一面上で連続する部分（壁部用紙片１０ａの表面：即ち、全体として図１の表面側）を装飾することにより、後述するように壁部用紙片１０ａを外側に向けて折り曲げる本発明の紙製トレイ１０においては、外部に現れる底部１２の表面並びに壁部１４の内壁部１４ａの表面及び外壁部１４ｂの表面を装飾面とすることができる。
【００３０】
このように、紙製トレイ１０のうち表面に現れる主な部分を装飾すると、紙製トレイ１０の外観に影響を与えることがなく、紙製トレイ１０の風情や見栄えを維持することができ、顧客の目に触れても違和感を与えることがない上に、届け出先における廃棄にも適した紙製トレイ１０とすることができる。加えて、壁部１４を底部１２側から外側へ向けて折り曲げて形成しつつ、このように底部１２の内底面１２ａを装飾すると、壁部用紙片１０ａを壁部１４を内側へ向けて折り曲げて形成する場合のように、底部１２の表面側（紙製トレイ１０内部の底面）は素材がそのまま現れることがないので、底部１２を装飾するために別途底台紙を設置することなく、美観を確保することができる。なお、この装飾の方法には、特に限定はなく、印刷等によることもできるが、耐久性や触感及び装飾の多様性、自由性を考慮すると、樹脂製のフィルムシートを段ボールの表面にラミネートすることが好ましい。
【００３１】
（２．壁部の組み立て及び縁面部）
また、この展開片１０Ａのうち、壁部用紙片１０ａは、図１及び図２に示すように、組み付けられたときに、折り曲げられて第１の１対の壁部１４Ａとなるべき１対の第１の壁部用紙片１０ａ１と、折り曲げられて第２の１対の壁部１４Ｂとなるべき１対の第２の壁部用紙片１０ａ２とから成っている。
【００３２】
これらの第１及び第２の壁部用紙片１０ａは、いずれも、図１に示すように、底部１２から連続して立ち上がる内壁部１４ａとなるべき内壁部部分１４ａ１と、この内壁部部分１４ａ１から連続し壁部１４の頂上に位置する後述の縁面部１６となるべき縁面部部分１６ａと、この縁面部部分１６ａから連続し縁面部１６を挟んで内壁部１４ａの外側に配置される外壁部１４ｂとなる外壁部部分１４ｂ１とを有している。
【００３３】
また、これらの壁部用紙片１０ａは、いずれも、図１に示すように、底部１２との境界線（底部１２と内壁部部分１４ａ１との間）に第１折り目線１１ａが形成され、次いで、底部１２側から順に内壁部部分１４ａ１と縁面部部分１６ａ１との間に第２折り目線１１ｂが、縁面部部分１６ａ１と外壁部部分１４ｂ１との間に第３折り目線１１ｃが形成されている。これらの折り目線１１ａ乃至１１ｃのうち、図１に示す展開状態において、一番内側（底部１２側）に位置する第１折り目線１１ａは、図４に示すように、底部１２（紙製トレイ１０の中央部）側へ向けて内側に（図１の表面側に）谷折りできるように、裏面側に切り込みが加工されている。従って、壁部用紙片１０ａは、この第１折り目線を谷折りすることにより、図４に示すように、底部１２に対して立ち上げることができる。一方、その他の第２折り目線１１ｂ及び第３の折り目線１１ｃは、いずれも、底部１２（紙製トレイ１０の中央部）側とは反対側へ向けて外側へ向けて山折りできるように薄肉状に加工されている。
【００３４】
従って、壁部１４は、これらの壁部用紙面１０ａを、図４に示すように、図１に示す展開状態から第１折り目線１１ａを谷折りして折り曲げて底部１２に対し立ち上げた後、第２折り目線１１ｂ及び第３折り目線１１ｃを外側へ向けて２回山折りして折り曲げることにより、形成することができる。このように、壁部１４の形成は、第１乃至第３の折り目線１１ａ乃至１１ｃに沿って、壁部用紙片１０ａを折り曲げるだけであるため、使用現場においても、簡易に行うことができる。
【００３５】
また、この場合、特に、壁部用紙片１０ａを、第２折り目線１１ｂと第３折り目線１１ｃとで外側へ向けて２回山折りして折り曲げることにより、これらの第２折り目線１１ｂと第３折り目線１１ｃとの間に、図２乃至図４に示すように、縁面部１６が形成される。即ち、壁部１４は、図２乃至図４に示すように、縁面部１６を頂上に有する。このため、壁部１４は二重壁構造となり充分な強度を有する。
【００３６】
（３．壁部の傾斜）
また、この壁部用紙片１０ａを折り曲げて形成される壁部１４は、図２乃至図４に示すように、底部１２から外側に向けて傾斜して立ち上がっている。具体的には、壁部用紙片１０ａは、図１に示すように、いずれも、第１の折目線１１ａと第２の折目線１１ｂとの間の部分の両端面が、第１の折目線１１ａよりも外側へ向けて傾斜して形成され、縁面部１６を形成する第２折り目線１１ｂ及び第３折り目線１１ｃは、第１折り目線１１ａよりも、長く形成されている。従って、各壁部用紙片１０ａは、第１折り目線１１ａを折り曲げて壁部用紙片１０ａを立ち上げた場合に、垂直状態となる前に、隣り合う壁部用紙片１０ａに隣接することになり、これにより、底部１２から外側へ向けて傾斜した状態で立ち上げることができる。
【００３７】
一方、壁部用紙片１０ａは、図１に示すように、いずれも、第３折り目線１１ｃと第４折り目線１１ｄとの間の部分の両端面が壁部用紙片１０ａの先端（第４折り目線１１ｄ側）に近づくに連れ、狭まるように傾斜して形成され、第４折り目線１１ｄは、第３折り目線１１ｃよりも、短く形成されている。この場合、その傾斜角度は、第１の折目線１１ａと第２の折目線１１ｂとの間の両端面の傾斜と同じ角度に設定する。従って、縁面部１６を形成するように、第３折り目線１１ｃを折り曲げた場合、図２及び図３に示すように、隣り合う壁部１４の立ち上げに支障を与えることなく、図４に示すように、壁部１４の内壁部１４ａとほぼ平行に外壁部１４ｂを円滑に折り返すことができる。これにより、図２乃至図４に示すように、壁部１４を、底部１２から外側へ向けて傾斜して立ち上げることができる。
【００３８】
このため、本発明では、壁部１４を外側に向けて形成しつつ、壁部１４の頂上に縁面部１６を設けているため、特に図３に示すように、下側の紙製トレイ１０の内側に上側の紙製トレイ１０の一部を収納しつつ積み重ねることができ、積み重ねの高さを低減しつつ、上側の紙製トレイ１０を位置決めして保持することができるので、積み重ねた段が容易に崩れることがないと同時に、壁部１４が上述したように二重壁構造となり充分な強度を有するため、下側の紙製トレイ１０の壁部１４が上側の紙製トレイ１０を確実に支えることができ、積み重ね数が増加しても紙製トレイ１０が変形等して潰れることがない。
【００３９】
（４．連結部）
なお、展開片１０Ａは、図１に示すように、展開状態において壁部用紙片１０ａを相互に連結する連結部１８を有している。この連結部１８は、壁部用紙片１０ａを立ち上げた場合に、中央で谷折りされて第２の１対の壁部１４Ｂに沿うようにして第２の１対の壁部の内壁部１４ａと外壁部１４ｂとの間に内側へ折り畳まれ、これにより、壁部１４同士の結合部分において、素材となる段ボールの端面が外部に露出しないように目隠しすると共に、特に荷重により影響を受けて変形や破壊し易い壁部１４同士の結合を強化する役割を有する。
【００４０】
また、この連結部１８は、図１に示すように、壁部用紙片１０ａに接する両端が底部１２の隅部に向けて傾斜して形成されている。このため、連結部１８の壁部用紙片１０ａに接する両端は、図１に示すように、底部１２の隅部において交差することになるが、この壁部用紙片１０ａに接する両端の交差角度θ（図１参照）が９０°未満の範囲内に設定される。これにより、壁部１４を適切に傾斜させることができる。また、この場合、この交差角度θ（図１参照）の設定により壁部１４の傾斜角度を調整することができる。
【００４１】
また、この連結部１８は、図１に示すように、底部１２の隅部に接する角を頂点とする略三角形状に形成されている。即ち、連結部１８のうち、底部１２の隅部とは反対側の端面を、図１に示すように、隣り合う両側の第２の折目線１１ｂ同士を結んだ線より大幅に突出しないように形成する。これにより、展開状態からの組み立て時において、連結部１８を内側へ折り畳んでも、連結部１８が壁面１４の頂上、即ち、縁面部１６よりも上方に突出することがなく、連結部１８が、組み付け作業の支障となったり、組み立て後の強度に影響を与えることがなく、壁面１４を適切に傾斜させつつ壁面１４の頂上に縁面部１６を有する強度の高い紙製トレイ１０とすることができる。
【００４２】
（５．壁部の組み付け）
更に、本発明の紙製トレイ１０においては、図１及び図４、図５に示すように、壁部用紙片１０ａは、図１及び図４、図５に示すように、壁部１４を組み付けた状態において第１の壁部用紙片１０ａ１の一部と第２の壁部用紙片１０ａ２の一部とを第１及び第２の壁部用紙片１０ａ１、１０ａ２が展開状態に復元しようとする復元力により相互に係合させると共に、一方の壁部用紙片１０ａの復元を、折り返しにより復元が制限された他方の壁部用紙片１０ａにより受け止めて、第１及び第２の壁部用紙片１０ａ１、１０ａ２が展開状態に復元しようとして展開することを規制して、壁部１４の組み付け状態を維持する展開規制手段２０を有している。
【００４３】
より具体的には、図示の実施の形態では、この展開規制手段２０は、図１及び図４、図５に示すように、図１に示す展開状態において第１の壁部用紙片１０ａ１の外壁部部分１４ａ２から更に外側に延びるようにして形成され縁面部１６へ向けて折り返されて第１の１対の壁部１４の内壁部１４ａと外壁部１４ｂとの間に配置される係合用片部２２と、同じく図１に示す展開状態において第２の壁部用紙片１０ａ２の外壁部部分１４ａ１から連続して延び、第１の１対の壁部１４Ａの内壁部１４ａと外壁部１４ｂとの間に挿入されて係合用片部２２に縁面部１６側から係合する係合爪部２４とを備えている。
【００４４】
この場合、まず、第１の壁部用紙片１０ａ１に形成された係合用片部２２は、図１及び図４に示すように、第１の壁部用紙片１０ａ１の外壁部部分１４ｂ１と係合用片部２２との間に形成された第４折り目線１１ｄにより山折りすることができるように形成されている。従って、壁部１４の組み付けに際し、図４及び図５に示すように、この係合用片部２２を有する第１の壁部用紙片１０ａ１を第４折り目線１１ｄで折り返すことにより、係合用片部２２を、内壁部１４ａと外壁部１４ｂとの間に挿入することができる。
【００４５】
この場合、この係合用片部２２は、特に図４に示すように、外壁部１４との間でＶ字状になるように折り返されていると共に展開状態に復元しようとする復元力により内壁部１４ａ側へ傾倒する。しかし、一方で、傾倒しても内壁部１４ａに係止されて、それ以上は展開できず内外壁部１４ａ、１４ｂ間に留まり復元力による展開（係合用片部２２の折り返しの解除）が制限される。従って、壁部１４を組み付けた後において、この係合用片部２２に縁面部１６側から負荷が加わっても、無理な力でない限り、容易には展開することがなく、当該負荷を受け止めることができる。
【００４６】
なお、この係合用片部２２は、図１及び図４、図５に示すように、内外壁部１４ａ、１４ｂ間に折り返された場合に、縁面部１６との間に係合爪部２４が入り込めるスペースが形成されるように、内外壁部１４ａ、１４ｂよりも低い高さ、具体的には、内外壁部１４ａ、１４ｂの約半分程度の高さに設定することが望ましい。また、この係合用片部２２は、係合爪部２４との係合のため、内壁部１４ａ側へ傾斜させることが必要な箇所を除いては、より具体的には、壁部１４の両端ではなく、中央部付近においては、外壁部１４ｂに接着させて、より強度を高めることもできる。
【００４７】
一方、第２の壁部用紙片１０ａ２は、図示の実施の形態では、図１に示すように、第２の壁部用紙片１０ａ２の外壁部部分１４ｂ１から第４折り目線ｄを挟んで更に延長された延長片部２６と、この延長片部２６の両端から延びる挿入片部２８とを有し、第２の壁部用紙片１０ａ２の係合爪部２４は、これらの挿入片部２８に連続して形成されている。この場合、延長片部２６は、第２の壁部用紙片１０ａ２を第４折り目線１１ｄにて山折りすることにより、図５及び図６に示すように、底部１２の裏面に回り、挿入片部２８及び係合爪部２４を、第１の１対の壁部１４Ａの内外壁部１４ａ、１４ｂ間に挿入することができる位置に配置させることができる。従って、挿入片部２８を第１の１対の壁部１４Ａの内外壁部１４ａ、１４ｂ間に挿入することができるように山折りした状態で、延長片部２６を底部１２の裏面側へ折り曲げるだけで、係合爪部２４を有する挿入片部２８を第１の１対の壁部１４Ａの内外壁部１４ａ、１４ｂ間に挿入して、壁部１４全体を組み付けることができる。
【００４８】
また、係合爪部２４は、図１に示す展開状態における挿入片部２８の外端側（挿入片部２８を、第１の１対の壁部１４Ａの内外壁部１４ａ、１４ｂ間に挿入した状態で、係合用片部２２よりも縁面部１６側に位置する部分）において、底部１２とは反対側の方向へ向けて延びるようにして形成される。このため、特に図４に示すように、挿入片部２８を、第１の１対の壁部１４Ａの内外壁部１４ａ、１４ｂ間に挿入した状態で、第１の１対の壁部１４Ａの係合用片部２２に縁面部１６側（上方）から係合することができる。
【００４９】
この場合、特に、山折りされて第１の１対の壁部１４Ａの内外壁部１４ａ、１４ｂ間に挿入された挿入片部２８は、図４に示すように、係合片部２２とは反対に、外壁部１４ａ側へ復元しようと変位する。従って、図４に示すように、係合爪部２４を有する挿入片部２８を、第１の１対の壁部１４Ａの内外壁部１４ａ、１４ｂ間に差し込むだけで、第２の壁部用紙片１０ａ２の復元力により、無理なく自動的に、係合用片部２２と係合爪部２４とが交差し、第１及び第２の壁部用紙片１０ａ１、１０ａ２の端面同士を係合させることができる。なお、この場合、係合爪部２４の係合用片部２２に対する係合をより確実なものとするために、図１に示すように、係合爪部２４を挿入片部２８に対して谷折りすることができる第５折り目線１１ｅを形成し、この第５折り目線１１ｅを折り曲げることにより、図４に示すように、係合爪部２４を外壁部１４ａ側へ傾倒させることもできる。
【００５０】
このようにして、係合爪部２４を係合用片部２２に縁面部１６側から係合させた場合、係合爪部２４を有する第２の壁部用紙片１０ａ２は、その復元力により、係合爪部２４が下方に変位しようとしても（延長片部２６が展開しようとしても）、上述したように、係合用片部２２により、その復元が規制される。一方、第１の壁部用紙片１０ａ１も、上述したように、第１の１対の壁部１４Ａの内外壁部１４ａ、１４ｂ間に留まって復元が制限されるため、第１及び第２のどちらの壁部１４Ａ、１４Ｂも、組み付け状態が維持される。特に、第１及び第２のいずれの壁部１４も、山折りされた各部が復元しようとする復元力は、最終的には、図４の矢印Ａ（図４参照）に示すように、紙製トレイ１０の中央側へ変位しようとする力として作用し、いわば２対の相対向する壁部１４を中央に向けて収斂するように指向させるため、４つの壁部１４が相互に係合して当該復元力を受け止め、本発明の構成によれば、復元力の作用によって、正に、復元自体が最終的には規制される。
【００５１】
このように、展開規制手段２０は、いわば組み付け状態の解除の原因となる復元力を逆に有効利用して組み付け状態を維持しているため、高い復元力が働き、壁部用紙片１０ａが展開状態に復元しようとすればする程、むしろ組み付けが強固となるので、特に、素材となる紙材の厚みが厚く、また、当該紙材の表面に装飾が施されている場合であっても、紙製トレイ１０の組み付け状態が容易に解除されることがなく、組み付け強度も向上する。のみならず、上述したように、係合爪部２４を第１の１対の壁部１４Ａの内外壁１４ａ、１４ｂ間に単に挿入するだけで、当該組み付け状態の強度を確保することができる点で有益である。
【００５２】
（６．組み立て方法）
次に、本発明の紙製トレイ１０の組み立て方法について説明すると、まず、図１に示す展開状態から、第１の壁部用紙片１０ａ１を折り曲げて、縁面部１６を形成しつつ第１の１対の壁部１４ａを組み立てる。この場合、係合用片部２２を折り返して、内外壁部１４ａ、１４ｂ間に挿入する。また、第１の壁部用紙片１０ａ１は、図１に示すように、外壁部１４ｂ１部分の両端から延びるようにして形成された補強用片部３０を有し、壁部１４の組み付け時において、この補強用片部３０を山折りして折り曲げて、次に組み立てられる第２の１対の壁部１４Ｂの内壁部１４ａと外壁部１４ｂとの間に挿入する。これにより、壁部１４の強度が向上すると共に、第１と第２の１対の壁部１４Ａ、１４Ｂの境界部において、素材となる紙材の端面、特に、この紙材が段ボールである場合には、コルゲート面が現れることがなく、良好な外観を確保することができる。
【００５３】
次いで、連結部１８を内側へ折り曲げつつ、第２の壁部用紙片１０ａ２を立ち上げ、折り畳まれた連結部１８及び補強用片部３０を第２の１対の壁部１４Ｂの縁面部１６により上方から覆うように、第２の１対の壁部用紙片１０ａ２を内側へ向けて折り曲げて縁面部１６を形成しつつ組み立てる。この場合、図７に示すように、第２の壁部用紙片１０ａ２に、外壁部１４ｂ部分の両端から延びて、壁部１４の組み付け時において、折り返されて第２の１対の壁部１４Ｂの内壁部１４ａと外壁部１４ｂとの間に挿入される装飾用片部３２を形成すると、同様に、第１と第２の１対の壁部１４Ａ、１４Ｂの境界部において、素材となる紙材の端面、特に、この紙材が段ボールである場合には、コルゲート面が現れることがなく、良好な外観を確保することができる。なお、この装飾用片部３２は、必要に応じて設ければ足り、図１に示すように、必ずしも形成することを要しない。
【００５４】
最後に、第２の１対の壁部１４Ｂの挿入片部２８を折り曲げた状態で、延長片部２６を底部１２の裏面側へ折り曲げて、挿入片部２８及び係合爪部２４を、第１の１対の壁部１４Ａの内外壁部１４ａ、１４ｂ間に挿入し、係合爪部２４を係合用片部２２に係合させて、組み付け状態を固定する。
【００５５】
（７．使用方法）
また、このようにして組み立てられた紙製トレイ１０は、内部に寿司やピザ等の食材を収納した上で、図示しない両端が折り曲げられた蓋等を被せて出前等の用に供することができるが、特に、その前に、予め組み立てた後に、図２に示すように、下側の紙製トレイ１０の内部に上側の紙製トレイ１０の格納し、下側の紙製トレイ１０の壁部１４により、上側の紙製トレイ１０を支持することにより、積み重ねることができ、この場合、特に、壁部１４の傾斜角度にもよるが、同じ高さ（第１折り目線１１ａから第２折り目線１１ｂまでの距離）を有する壁面を垂直に立ち上げた紙製箱を積み上げた場合と比べて、約２５％程度、積み上げの高さを低減させることができる。
【産業上の利用可能性】
【００５６】
本発明は、例えば、紙製重箱や紙製弁当箱等の食品用の紙製箱に使用することができるほか、特に、紙製の容体であれば、その用途を問わず、広く適用することができる。
【符号の説明】
【００５７】
１０  紙製トレイ
１０Ａ  展開片
１０ａ  壁部用紙片
１０ａ１  第１の壁部用紙片
１０ａ２  第２の壁部用紙片
１１ａ〜１１ｅ  第１乃至第５の折り目線
１２  底部
１２ａ  内底面
１４  壁部
１４Ａ  第１の壁部
１４Ｂ  第２の壁部
１４ａ  内壁部
１４ａ１  壁部用紙片の内壁部部分
１４ｂ  外壁部
１４ｂ１  壁部用紙片の外壁部部分
１６  縁面部
１６ａ  壁部用紙片の縁面部部分
１８  連結部
２０  展開規制手段
２２  係合用片部
２４  係合爪部
２６  延長片部
２８  挿入片部
３０  補強用片部
３２  装飾用片部
【図１】
0005785397.tif 000002
【図２】
0005785397.tif 000003
【図３】
0005785397.tif 000004
【図４】
0005785397.tif 000005
【図５】
0005785397.tif 000006
【図６】
0005785397.tif 000007
【図７】
0005785397.tif 000008